(57)【要約】各利用者（１１，１２）に少なくとも一時的に少なくとも１個の移動端末装置（３，５）が割り当てられている、情報伝達システム（１）、特に移動無線システムの、利用者（１１，１２）による位置を基準とする移動通信のための方法において、  １人以上の利用者／送信者（１１）が電子的に情報データを作成し、そして該情報データが該利用者／送信者に割り当てられた端末装置（３）を介して少なくとも１つの中央処理装置（４）に送信される（６）こと、該情報データを送信する該端末装置の位置（２）が位置確認方法によって自動的に測定される（７）こと、該情報データがその確認された位置データと中央処理装置（４）で自動的に関連づけられること、ならびに、該情報伝達システム（１）の少なくとも１人の別の利用者（１２）の端末装置に対して該位置確認方法によって、該情報データが預けられた際に媒介となった位置であって送信者（１１）の端末装置（３）の場合と同じ位置（２）および／または該位置の周辺の場所が確認された（８）場合にこの利用者に該位置関連の情報データが中央処理装置（４）により提供される（１０）ようにして、該情報データが中央処理装置（４）により位置に関連して提供される（１０）ことを特徴とする、位置を基準とする移動通信のための方法である。
2005520418.tif 000002
【特許請求の範囲】
【請求項１】
各利用者（１１，１２）に少なくとも一時的に少なくとも１個の移動端末装置（３，５）が割り当てられている、情報伝達システム（１）、特に移動無線システムの、利用者（１１，１２）による位置を基準とする移動通信のための方法において、
１人以上の利用者／送信者（１１）が電子的に情報データを作成し、そして該情報データが該利用者／送信者に割り当てられた端末装置（３）を介して少なくとも１つの中央処理装置（４）に送信される（６）こと、該情報データを送信する該端末装置の位置（２）が位置確認方法によって自動的に測定される（７）こと、該情報データがその確認された位置データと中央処理装置（４）で自動的に関連づけられること、ならびに、該情報伝達システム（１）の少なくとも１人の別の利用者（１２）の端末装置に対して該位置確認方法によって、該情報データが預けられた際に媒介となった位置であって送信者（１１）の端末装置（３）の場合と同じ位置（２）および／または該位置の周辺の場所が確認された（８）場合にこの利用者に該位置関連の情報データが中央処理装置（４）により提供される（１０）ようにして、該情報データが中央処理装置（４）により位置に関連して提供される（１０）ことを特徴とする、位置を基準とする移動通信のための方法。
【請求項２】
各利用者（１１，１２）に少なくとも一時的に少なくとも１個の移動端末装置（３，５）が割り当てられている、情報伝達システム（１）、特に移動無線システムの、利用者（１１，１２）による位置を基準とする移動通信のための方法において、
１人以上の利用者／送信者（１１）が電子的に情報データを作成し、そして該情報データが該利用者／送信者に割り当てられた端末装置（３）を介して少なくとも１つの中央処理装置（４）に送信される（６）こと、該情報データを送信する該端末装置の位置（２）が位置確認方法によって自動的に測定される（７）こと、該情報データがその確認された位置データと中央処理装置（４）で自動的に関連づけられること、ならびに、該情報伝達システム（１）の少なくとも１人の別の利用者（１２）が該利用者に割り当てられた端末装置（５）を介してある位置の位置データを中央処理装置（４）に送信する場合にこの利用者（１２）に該位置関連の情報データが中央処理装置（４）により提供される（１０）ようにして、該情報データが中央処理装置（４）により位置に関連して提供される（１０）ことを特徴とする、位置を基準とする移動通信のための方法。
【請求項３】
前記位置関連の情報データの送信者（１１）によって、送信者に特有のデータが含まれる送信者プロファイルが作成されることを特徴とする、請求項１または２記載の方法。
【請求項４】
前記位置関連の情報データの送信者（１１）によって受信者プロファイルが作成され、この受信者プロファイルによって、いかなる受信者のために該位置関連の情報データが想定されているかを該送信者（１１）が設定していることを特徴とする、請求項１〜３のうちの少なくとも１項に記載の方法。
【請求項５】
前記位置関連の情報データが自動的に前記中央処理装置（４）により前記端末装置（５）に送信される（１０）こと、いわゆる「プッシュ方式」、を特徴とする、請求項１〜４のうちの少なくとも１項に記載の方法。
【請求項６】
前記「プッシュ方式」（１０）における前記端末装置（５）への前記位置関連の情報データの自動的な送信が、前記中央処理装置（４）の前もっての汎用アクティブ化（９）を必要とすることを特徴とする、請求項５記載の方法。
【請求項７】
前記位置関連の情報データが前記端末装置（５）によって要求され、かつその次に前記中央処理装置（４）により送信される（１０）こと、いわゆる「プル方式」、を特徴とする、請求項１から４までのいずれか１項に記載の方法。
【請求項８】
前記「プル方式」（１０）における前記端末装置（５）への前記位置関連の情報データの送信が、その度ごとに前記中央処理装置（４）の特殊アクティブ化（９）を必要とすることを特徴とする、請求項７記載の方法。
【請求項９】
前記中央処理装置（４）のアクティブ化（９）とともに、いかなる特定の位置関連の情報を前記利用者（１２）が受取りを希望しているのかが設定されている利用者プロファイルが一緒に前記中央処理装置（４）に送信されることが可能であることを特徴とする、請求項６または８記載の方法。
【請求項１０】
前記中央処理装置（４）のアクティブ化（９）とともに、いかなる特定の位置関連の情報を前記利用者（１２）が受取りを希望しているのかが設定されている利用者プロファイルが、前記中央処理装置（４）によって少なくとも１つの記憶装置から選択されることが可能であることを特徴とする、請求項６または８記載の方法。
【請求項１１】
位置関連の情報データの受け取り前に前記利用者（１２）が、前記中央処理装置（４）に登録されなければならず、殊に、個人的なプロファイルを申告しなければならないことを特徴とする、請求項１〜１０のうちの少なくとも１項に記載の方法。
【請求項１２】
前記利用者（１２）が前記中央処理装置（４）に登録されており、該中央処理装置（４）が該利用者（１２）によってアクティブ化され（９）ており、かつ、前記位置関連の情報データが前記送信者（１１）によって送信されてもいる同じ位置（２）に該利用者が存在するかもしくは該利用者が位置（２）の位置データを該中央処理装置（４）に送信した場合に初めて、該位置関連の情報データが該利用者（１２）に該中央処理装置（４）により送信される（１０）ことを特徴とする、請求項１〜１１のうちの少なくとも１項に記載の方法。
【請求項１３】
利用者プロファイルと受信者プロファイルが完全にかもしくは少なくともある一定のレベルで一致する場合に初めて、前記位置関連の情報データが前記利用者（１２）に前記中央処理装置（４）により送信される（１０）ことを特徴とする、請求項１２記載の方法。
【請求項１４】
前記送信者（１１）および前記利用者（１２）が、そのレベルからは前記位置関連の情報データが前記中央記憶装置（４）により送信されるべきであるところの、利用者プロファイルと受信者プロファイルとの一致のレベルを指定することができることを特徴とする、請求項１〜１３のうちの少なくとも１項に記載の方法。
【請求項１５】
前記送信者（１１）および前記利用者（１２）によって、その都度の前記位置（２）に向かってどれくらいの空間的距離から前記位置関連の情報データが送信されるかが指定されることが可能であることを特徴とする、請求項１〜１４のうちの少なくとも１項に記載の方法。
【請求項１６】
前記送信者（１１）が前記受信者プロファイルをいつでも変更することができ、かつ前記利用者（１２）が前記利用者プロファイルをいつでも変更することができることを特徴とする、請求項１〜１５のうちの少なくとも１項に記載の方法。
【請求項１７】
前記位置関連の情報データの送信者（１１）が、該位置関連の情報データが前記中央処理装置（４）によって他の利用者（１２）に送信されることができる期間を指定することができることを特徴とする、請求項１〜１６のうちの少なくとも１項に記載の方法。
【請求項１８】
前記位置関連の情報データの受信を希望する利用者（１２）が、どれくらいの期間にわたって、またどれくらいの期間が経ってから自分が該位置関連の情報データの受信を希望するのかを指定することができることを特徴とする、請求項１〜１７のうちの少なくとも１項に記載の方法。
【請求項１９】
送信者（１１）および利用者（１２）がそれぞれ、誰のために、もしくは誰から前記位置関連の情報データが送信されるべきであるかを指定することができることを特徴とする、請求項１〜１８のうちの少なくとも１項に記載の方法。
【請求項２０】
送信者（１１）および利用者（１２）がそれぞれ１つ以上の受信者プロファイルおよび利用者プロファイルを前記中央処理装置（４）に送信することができ、これらプロファイルを該送信者および該利用者が選択的に個別にかまたは同時にアクティブ化する（９）ことができることを特徴とする、請求項１〜１９のうちの少なくとも１項に記載の方法。
【請求項２１】
簡単に新たな入力ないしは照会を実施できるようにするために、送信者（１１）および利用者（１２）が前記中央処理装置（４）に記憶されている自分達のプロファイルをいつでも活用することができることを特徴とする、請求項１〜２０のうちの少なくとも１項に記載の方法。
【請求項２２】
前記情報伝達システム（１）の送信者（１１）および利用者（１２）の全てのプロファイルがインターネット接続を介して該情報伝達システム（１）の前記中央処理装置（４）に送信されることが可能であることを特徴とする、請求項１〜２１のうちの少なくとも１項に記載の方法。
【請求項２３】
全ての位置関連の情報データが後から該情報データの送信者（１１）によってインターネット接続を介して補足されることが可能であることを特徴とする、請求項１〜２２のうちの少なくとも１項に記載の方法。
【請求項２４】
前記位置関連の情報データが特に音声−、ＳＭＳ−、ＭＭＳ−、画像−、ビデオ−、テキスト−、ＷＡＰ−もしくは類似のメッセージであることを特徴とする、請求項１〜２３のうちの少なくとも１項に記載の方法。
【請求項２５】
特に請求項１〜２４のうちの少なくとも１項に記載の方法を実施するための、装置において、
前記情報伝達システム（１）、特に前記中央処理装置（４）が、位置関連の情報データの送信者（１１）の位置確認のための、ならびに該情報伝達システム（１）の利用者（１２）の位置確認のための装置、該送信者（１１）および／または該利用者（１２）のプロファイルおよび登録のための少なくとも１つの記憶装置ならびに、該利用者（１２）が相応の位置（２）に存在する際に受信者プロファイルと利用者プロファイルが一致する場合に該利用者（１２）に該位置関連の情報データを割り当てる演算装置を備えていることを特徴とする装置。
【請求項２６】
前記装置が請求項１から２４までのいずれか１項に記載の方法を実施するための手段を有することを特徴とする、請求項２５記載の装置。
【請求項２７】
前記端末装置（３，５）が移動電話であることを特徴とする、請求項２５または２６記載の、ならびに請求項１から２４までの少なくとも１項に記載の方法を実施するための装置。
【発明の詳細な説明】
【技術分野】
【０００１】
本発明は、各利用者に少なくとも一時的に少なくとも１個の移動端末装置が割り当てられている、情報伝達システム、特に移動無線システムの利用者による位置を基準とする移動通信のための方法に関する。さらに、特に該方法の実施に適当であるシステムが記載されている。
【背景技術】
【０００２】
例えば移動無線加入者がある特定のサービスを呼び出すことによって、ある特定の場所についての情報を取得するために問い合わせあるいは照会を行うことができることが知られている。このシステムはインターネットでも知られており、この場合には、いわゆる検索プロファイルを介して目標を定めて選択された場所もしくは対象に関する情報データを得ることができる。
【０００３】
さらに自動車分野ではナビゲーションシステムが知られており、このシステムでは人工衛星を介して該ナビゲーションシステムの利用者の位置が確認され（ＧＰＳ）、そして該システムが目的地の入力後に道路地図記憶装置のデータに基づいて経路指示を計算する。最新の交通状況は、例えばＲＤＳ（ラジオデータシステム）またはインターネットを介して経路計算中に考慮されることが可能である。
【０００４】
しかし、情報伝達システムの利用者がある場所と関連する情報データを、該利用者がその場所に存在する時に受け取ることができ、その際、その情報データが前もって該情報伝達システムの別の利用者がこの場所で預けたものである方法ないしはシステムは公知ではない。
【発明の開示】
【発明が解決しようとする課題】
【０００５】
したがって本発明の課題は、情報伝達システムの利用者が情報データをある場所で預けることができ、かつこの情報データが該情報伝達システムの別の利用者に、その別の利用者がその場所に存在する時に伝達されることが可能である方法を提供することである。
【課題を解決するための手段】
【０００６】
この課題は、独立した特許請求の範囲の請求項１および２に記載された特徴を有する方法ならびに独立した特許請求の範囲の請求項２５に記載された特徴を有する装置によって解決される。本発明のさらなる利点、特徴、詳細、態様および効果は、従属請求項、明細書ならびに図面に示されている。この場合、本発明による方法に関連して記載されている特徴および詳細は、当然のことながら本発明による装置にも該当し、またその逆の場合も同様である。
【０００７】
上記の課題は、本発明の第１の態様によれば、１人以上の利用者／送信者が電子的に情報データを作成し、そして該情報データが該利用者／送信者に割り当てられた端末装置を介して少なくとも１つの中央処理装置に送信されること、位置確認方法によって自動的に該端末装置の位置が少なくとも１つの中央処理装置に送信されること、該情報データを送信する該端末装置の位置が位置確認方法によって自動的に測定されること、該情報データがその確認された位置データと中央処理装置で自動的に関連づけられること、ならびに、該情報伝達システムの少なくとも１人の別の利用者の端末装置に対して該位置確認方法によって、該情報データが預けられた際に媒介となった位置であって送信者の端末装置の場合と同じ位置および／または該位置の周辺の場所が確認された場合にこの利用者に該位置関連の情報データが中央処理装置により提供されるようにして、該情報データが中央処理装置により位置に関連して提供されることによって解決される。
【０００８】
本発明の第２の態様によれば上記の課題は、１人以上の利用者／送信者が電子的に情報データを作成し、そして該情報データが該利用者／送信者に割り当てられた端末装置を介して少なくとも１つの中央処理装置に送信されること、該情報データを送信する該端末装置の位置が位置確認方法によって自動的に測定されること、該情報データがその確認された位置データと中央処理装置で自動的に関連づけられること、ならびに、該情報伝達システムの少なくとも１人の別の利用者が該利用者に割り当てられた端末装置を介してある位置の位置データを中央処理装置に送信する場合に該位置関連の情報データが中央処理装置により該利用者に提供されるようにして、該情報データが中央処理装置により位置に関連して提供されることによって解決される。
【０００９】
このことによって、情報伝達システムの利用者が位置を基準として情報データを預けることができかつ該情報データが該情報伝達システムの別の利用者に、該利用者がその場所に存在する場合に送信されることが可能である方法が提供される。
【００１０】
つまり新規の移動通信を可能にするための方法である。この方法の一部はインターネットで以前から公知であり、かつインスタント・メッセージング参加者によって利用されている（検索プロファイルを介した呼出し）。ある場所において、ないしはある場所のために情報データないしはメッセージ（音声、画像もしくはデータなど）が残される際のその場所が、その点で決定的な機能をもつことが新規である。場所の適用は、インターネット利用では公知ではない。
【００１１】
これ以降では、例えば上記方法を実施できるようにするためのシステムについてさらに記載する。
【００１２】
前記中央処理装置は、例えば１つ以上のコンピュータもしくは演算装置、１つのコンピュータ・ネットワーク、少なくとも１つのサーバー装置などを有する。
【００１３】
該方法の核心は、情報データないしはメッセージの送信者が特定の受信者を必ず選択するのではなく、該メッセージが情報伝達システム、例えば移動無線システムに委ねられる点である。例えば該データは中央処理装置に送信され、さらにここで後処理される。その際、このシステムは、メッセージないしは情報データが託された場所を捕捉し、かつこのメッセージないしは情報データを該場所ないしは該場所の座標のもとに記憶する。
【００１４】
利用者が移動端末装置を使用できることが有利である。メッセージないしは情報データは情報伝達システムの利用者によって少なくとも１つの移動端末装置、特に移動無線装置を介して中央処理装置に送信される。
【００１５】
上記方法は、１つの情報伝達システム、例えば移動無線会社、の顧客間ないしは１つの移動無線網に接続された機器間での、位置を基準とする音声および／またはデータ通信が可能にする。上記方法は、移動無線加入者に新たな利用方法をもたらし、そしてしたがって移動無線網および提供されるサービスの利用を増大させる。
【００１６】
情報伝達システムの利用者の位置は、例えば適当な位置確認方法によって測定することができる。好ましくはその位置データは、ＧＳＭを基礎とする位置確認方法によって、および／または衛星測位に基づいた位置確認方法（例えばＧＰＳなど）によって測定することができる。移動端末装置と中央処理装置の間の通信は、例えばセルラー移動無線（例えばＧＰＲＳなど）経由で行うことができる。
【００１７】
特定の位置確認方法による移動端末装置の測位については既に種々の解決が公知となっている。例えば、その開示内容もともにこの点に関しては本発明の明細書に取り入れられる独国特許第１９８０３９６０号明細書には、移動無線システムで最新の測位システムを利用するための方法およびシステムが記載されている。移動電話の位置測定は、例えばＥＯＴＤ法（強化観測時間差法）に従って行うこともできる。その場合には移動電話から複数の送信者への信号の到達時間差が測定される。その次に、測定された値から適当なアルゴリズムを使用して自動的に該移動電話の位置を確認することができる。
【００１８】
本発明の第１の態様によれば、位置関連の情報データが中央処理装置により情報伝達システムの別の利用者に対し、該利用者の端末装置について位置確認方法によって、該情報データが預けられた際に媒介となった位置であって送信者の端末装置の場合と同じ位置および／または該位置の周辺の場所が確認された場合に提供され、その際、該位置データは好ましくは該情報データと一緒に預けられたものである。すなわち、位置関連の情報データが中央処理装置に預けられた際に媒介となった位置に利用者が存在する場合に、この情報データがこの利用者に中央処理装置によって提供される。場所の重複がなければならない。利用者がその位置を変更すると、該利用者にはそれ以前の位置の情報データはもはや提供されず、新たな位置の情報データが提供される。中央処理装置は利用者のその都度の位置を確認し、その場所で預けられた情報データを自動的に該利用者に提供する。
【００１９】
前記第２の態様によれば、位置関連の情報データが中央処理装置によって情報伝達システムの別の利用者に、該利用者が該利用者に割り当てられた端末装置を介して、ある位置の位置データを中央処理装置に送信する場合に提供される。このことによって該システムの利用者にある場所の情報データが、該利用者がその相応する場所に存在しない場合にも提供されることが可能である。該利用者は端末装置を介して、該利用者が情報データの受取りを希望するにあたって媒介となる位置の位置座標を入力しなければならない。つまり該利用者は、該利用者がその場所に存在するとした時の前記位置確認方法によって測定されるであろう場所の位置座標を知らなければならない。このようにして該システムの利用者は、該利用者に対して上記位置において提供されることになっている情報データないしはメッセージを入手することができる。
【００２０】
位置関連の情報データの送信者によって、送信者に特有のデータ、例えば性別、年齢、身長、住所氏名、職業、興味、趣味、毛髪の色、出生地もしくは居住地、雇用主ならびにグループへの所属などが含まれる送信者プロファイルが作成されることが可能であることが有利である。中央処理装置は送信者の対応する特徴を記憶する。これにより送信者は、情報データによって特徴付け可能である。送信者プロファイルは一方では、前記情報データの送信者に関する情報を入手するためにシステム・プロバイダに役立てられ、他方では、特定の特徴を有する送信者の情報データのみの受取りを希望する別の利用者に役立てられる。
【００２１】
例えば、送信者が位置関連の情報データを作成する度ごとに該送信者によって作成された送信者プロファイルが中央処理装置に送信されることは可能である。送信者が例えば初めて当該サービスに申し込む際に該送信者が送信者プロファイルを作成し、この送信者プロファイルが引き続き中央処理装置に保存されることもまた可能である。その一方で送信者が位置関連の情報データを作成しかつ該情報データを中央処理装置に送信したい場合には、中央処理装置は既存の送信者プロファイルを該送信者に該送信者の識別に従って自動的に割り当てることができる。
【００２２】
位置関連の情報データの送信者によって受信者プロファイルが作成されることもまた有利であり、この受信者プロファイルによって、いかなる受信者のためにその位置関連の情報データが想定されているかを該送信者が設定している。送信者が位置関連の情報データを作成する度に毎回、該送信者が受信者プロファイルも作成し、この受信者プロファイルを位置関連の情報データと一緒に中央処理装置に送信することもまた可能である。当然のことながら、送信者が特定の受信者プロファイルを１回作成し、引き続き該受信者プロファイルが中央処理装置に保存されることも可能である。また、送信者が位置関連の情報データを作成する際に、該位置関連の情報データが中央処理装置で自動的に対応の受信者プロファイルに関連づけられ、こうすることによって、それぞれの場合の受信者プロファイルに相応する利用者のみが該位置関連の情報データへのアクセスを獲得する。これにより位置関連の情報データが特定の利用者のみに提供されることが可能である。送信者によって、特定の位置についての情報データがいかなる利用者ないしはいかなる利用者グループのために指定されているか設定される。当然のことながら、この利用者によって１つ以上の受信者プロファイルが作成されてもよい。これによりこの送信者によって、可能性のある受信者に対して予備選択が行われる。例えば送信者はメッセージをある場所でただ１人だけの利用者に残すこともできるし、全ての利用者に残すこともできる。つまり、該情報データがある人物のために指定されたものであってその相応する人物のみが該情報データを受け取ることができるか、あるいは全ての利用者が、該情報データが預けられた際に媒介となった場所に存在すれば該情報データを受け取ることができるということである。
【００２３】
受信者プロファイルは、受信者に特有のデータ、例えば性別、年齢、身長、住所氏名、職業、興味、趣味、毛髪の色、出生地もしくは居住地、雇用主ならびにグループへの所属などを含むことができる。
【００２４】
したがって例えばある主催者が、特別な固有の特徴をもつ人々のためだけに指定された情報を、このようにねらいをつけてこのような人々のグループに接近するために、自分の位置を介して預けることができる。
【００２５】
システム、特に中央処理装置は、送信者プロファイルをメッセージ、場所および受信者プロファイルと一緒に記憶する。
【００２６】
位置関連の情報データが自動的に中央処理装置により端末装置に送信されること、いわゆる「プッシュ方式」、も可能であるし、あるいは端末装置によって要求された後で送信されること、いわゆる「プル方式」、も可能である。「プッシュ方式」の場合には位置関連の情報データは、該データが記憶された際に媒介となった位置に利用者が存在すれば、自動的に該利用者の端末装置に送信される。利用者が該位置の近辺に到達すると直ちに、該利用者に該情報データがこの位置を介して送信される。
【００２７】
該システムの利用者が例えば飲食店に入ると、該飲食店を媒介として中央処理装置に収容されている情報データが該利用者に送信される。
【００２８】
「プル方式」の場合には、利用者は位置関連の情報データを自動的にではなく、該利用者が該情報データを該利用者の端末装置、特に該利用者の移動無線装置、を介して中央処理装置に要求して初めて受け取る。利用者が照会を中央処理装置に送信し、すると中央処理装置がその対応するデータを送信する。
【００２９】
つまり利用者には２つの変形形態を選択する余地がある。該利用者が位置関連の情報データを強制的に受け取りたくない場合には、該利用者は前記のいわゆる「プル方式」を選択する。
【００３０】
特に利用者がその位置をすばやく変更する場合に、利用者に情報データが不必要におびただしく与えられないようにするために、「プッシュ方式」における端末装置への位置関連の情報データの自動的な送信が、中央処理装置の前もっての汎用アクティブ化を必要とすることは有利である。これにより利用者は、そもそも情報データの受取りを希望するのか否かを決定することができる。利用者は、アクティブ化の時点以降は位置関連の情報データの受取りを希望するという趣旨で中央処理装置を該利用者の端末装置を介してアクティブ化する。中央処理装置は、端末装置によってアクティブ化されているかどうかを検査し、アクティブ化されている場合にはその都度の位置関連の情報データをこの端末装置に送信する。このことによって該端末装置の利用者は持続的に情報ないしはメッセージを、その相応の場所であって該利用者の存在する場所を媒介として受け取る。
【００３１】
もう一方では、「プル方式」における端末装置への位置関連の情報データの送信が、その度ごとに中央処理装置の特殊アクティブ化を必要とすることは有利である。該端末装置の利用者は中央処理装置の意図されたアクティブ化によって、いつ該利用者が位置関連の情報データの受取りを希望するのかを指定することができる。該利用者が情報の受取りを希望するにあたって媒介となる場所に該利用者が存在するときに該利用者によって中央処理装置がアクティブ化されて、次に中央処理装置は該利用者にその対応する情報であって該場所において、かつ該場所を介して預けられた情報を送信する。いつ該利用者がその特定の場所を媒介とする情報を中央処理装置から送信してもらいたいかを該利用者自身が決定する。「プッシュ方式」と異なり、利用者は、ある場所に存在するときに、その都度の位置関連の情報データを自動的に受け取るのではなく、該利用者がいわゆるアクティブ化を実施して初めて受け取るのである。情報照会のこの方法によって利用者は、該利用者が自分の位置を絶え間なく変更する場合に該利用者に持続的に情報が送信されることを防ぐことができる。
【００３２】
さらに、中央処理装置のアクティブ化とともに、いかなる特定の位置関連の情報データをその利用者が受取りを希望するのかが設定されている利用者プロファイルが一緒に中央処理装置に送信されることが可能であることは有利である。中央処理装置のアクティブ化とともに、いかなる特定の位置関連の情報をその利用者が受取りを希望するのかが設定されている利用者プロファイルが、中央処理装置によって少なくとも１つの記憶装置から選択されることが可能であることが定められていてもよい。
【００３３】
この利用者プロファイルは、中央処理装置の汎用アクティブ化の場合にも、特殊アクティブ化の場合にも送信されることが可能である。利用者は、いかなる種類の位置関連の情報データの受取りを希望するのかを自分で決定することができる。利用者は例えば、誰から情報を受け取ることを希望するのか設定することが可能である。それに加えて利用者は、中央処理装置に記憶されている、ある場所を媒介とする数多くの情報データの中から選択することができる。端末装置を介して利用者は自分が希望するプロファイルを入力し、中央処理装置はこれを中央処理装置に預けられている情報と比較し、そしてそのデータとその希望された利用者プロファイルとが一致した場合にこのデータを該利用者に送信する。例えば利用者は利用者プロファイル中に、位置関連の情報ないしはメッセージをいかなる送信者から受け取ることを希望するのかを設定することができる。このことは、利用者が例えば電話番号または名前を利用者プロファイル中に設定することによって利用者が行うことができる。この名前および／またはこの電話番号をもつ送信者によって中央処理装置に記憶されている全ての情報は、該送信者が受信者プロファイルによって該利用者に送信されるべきではないと設定していない限り、該利用者に送信される。
【００３４】
位置関連の情報データの受け取り前に利用者が、中央処理装置に登録されなければならず、殊に該利用者の個人的なプロファイル、例えば性別、年齢および住所氏名など、を申告しなければならないことは、同様に有利である。そうであれば情報伝達システムの事業者は、その情報伝達システムへの参加を希望するあらゆる利用者を把握することができる。
【００３５】
その際、利用者が中央処理装置に登録されており、中央処理装置が利用者によってアクティブ化されており、かつ、位置関連の情報データが送信者によって送信されてもいる同じ位置に利用者が存在するかもしくは利用者が位置の位置データを中央処理装置に送信した場合に初めて、位置関連の情報データが利用者に中央処理装置により送信されることが有利である。先ずここに述べた条件が満たされて初めて、中央処理装置は位置関連の情報データを利用者に転送する。
【００３６】
もう１つの可能な選択肢は、利用者プロファイルと受信者プロファイルが完全にかもしくは少なくともある一定のレベルで一致する場合に初めて、位置関連の情報データが利用者に中央処理装置により送信されることである。中央処理装置は、利用者プロファイルと受信者プロファイルが一致しているかどうかを常に検査する。完全な一致の場合には、ある位置を媒介とする記憶されている情報が利用者に直接送信される。いつから送信されるべきかという一致のレベルは、送信者ならびに受信者によって個別に調整可能である。したがって送信者は自分の提出する受信者プロファイルの中で、送信者が設定した例えば５つの特徴のうち３つを利用者が満たす場合には送信されるべきであると設定することができる。その反対に利用者が、該利用者の利用者プロファイルの特徴の例えば５０％以上が受信者プロファイルに存在する場合に、該利用者が情報データの送信を希望すると設定することも可能である。したがって例えば、位置関連の情報データの送信者によって、この情報がミュンヘン在住の年齢２５〜３０歳の女性利用者にのみ転送されるべきであると設定されることが可能である。また他方では、利用者が自分の利用者プロファイルによって、４０〜４２歳でありかつある場所の出身である人物によって預けられたその場所の情報データのみを希望すると指定することができる。中央処理装置は１特徴ずつ詳細な利用者プロファイルと受信者プロファイルを検査し、そしてこれらの一致のレベルに応じて、位置関連の情報データを利用者に送信する。
【００３７】
さらに、送信者によって、かつ利用者によって、その都度の位置に向かってどれくらいの空間的距離から位置関連の情報データが送信されるかが指定されることができることは有利である。すなわち、送信者および利用者は、該利用者が該位置から一定の距離より近くに存在する場合にのみ位置関連の情報データが中央処理装置によって送信されるべきであることを設定することができる。例えば、飲食店オーナーは、利用者がその飲食店に１０メートルより近くに接近するとその利用者に特定の特価提供品が伝達されるように指定することができる。しかし、該利用者が該位置の例えば周辺１５メートルの範囲内の距離に存在する時に初めて該利用者は情報の受取りを希望するということを利用者が設定することもできる。この調整の精度は、位置確認方法に依存する。より正確に利用者の位置を測定することができればできるほど、距離パラメータの調整機能がより正確になる。位置の測定は、例えばＧＳＭ方式や人工衛星に支援された位置確認方法などを用いて行われることができる。
【００３８】
送信者は受信者プロファイルをいつでも変更できるし、利用者は利用者プロファイルをいつでも変更できる。利用者は複数の利用者プロファイルを中央処理装置に保管させることもできる。
【００３９】
位置関連の情報データが中央処理装置によって他の利用者に送信されることができる期間を該情報データの送信者が指定することができる可能性もまた大きな利点である。したがって送信者は例えば、いかなる時点まで該送信者のメッセージが可能性のある利用者に提供されるべきかを正確に設定することができる。このようにして、とっくに繰り返されている情報データが１人の利用者に届けられることを回避することができる。商売人は、選び抜かれた売り出しが一定期間の間だけ利用者に公開されるように正確に指定することができる。
【００４０】
位置関連の情報データの受信を希望する利用者が、どれくらいの期間にわたって、またどれくらいの期間が経ってから自分がその位置関連の情報データの受信を希望するのかを指定することができることもまた著しく有利である。このことによって利用者は、該利用者に古くなったもはや時宜にかなったものではない位置関連の情報データが送信されることを回避することができる。この調整機能によって利用者は、該利用者に最も時宜にかなった最新の情報もしくはメッセージのみが転送されることを達成することができる。しかし、利用者はより古い過去の期間を選択することもでき、こうして目標を定めて特定のメッセージもしくは情報を検索することもできる。
【００４１】
プロファイルを設定することが可能であることによって送信者および受信者はそれぞれ誰のために、もしくは誰から位置関連の情報データが送信されるべきであるかを指定することができる。まったく特定の目標グループがこのようにして選択されることができる。
【００４２】
さらに、送信者および利用者がそれぞれ１つ以上の受信者プロファイルおよび利用者プロファイルを中央処理装置に送信することができ、これらプロファイルを送信者および利用者が選択的に個別にかまたは同時にアクティブ化することができることは有利である。このことによって毎回新しいプロファイルが中央処理装置に送信される必要はなく、既に記憶されているプロファイルが活用される（ｚｕｒ・ｃｋｇｅｇｒｉｆｆｅｎ）ことが可能である。これらプロファイルは１回アクティブ化されたきりか、あるいはこれらプロファイルは各人の新たな要求に合わせて変更される。これは、プロファイルの作成者の多くの時間を節約する。中央処理装置は１人の利用者のために大量のプロファイルを記憶することができ、該利用者はいつでもこのプロファイルを活用することができる。このことによってプロファイル入力ないしは照会を簡単にすることが可能である。
【００４３】
情報伝達システムの送信者および利用者の全てのプロファイルがインターネット接続を介して該情報伝達システムの中央処理装置に送信されることができれば理想的である。そうであればメッセージの送信者はそのメッセージを後になってから補足することもできるし、修正することもできるし、あるいは元通り消去することもできる。このことによって送信者は端末装置を用いた、殊に移動無線装置を用いた退屈な入力から免れる。送信者はある場所でメッセージを  −  パーソナルコンピュータもしくは自分の端末装置などを用いて  −  作成し、中央処理装置に送信し、かつそのメッセージを後でインターネット経由で加工することができる。同様に利用者はプロファイル全体をインターネット経由で中央処理装置に送信することができる。このことによって利用者にデータおよびプロファイル入力のより簡単でより快適な方法が提供される。したがって全ての送信者もしくは利用者が、位置関連の情報データないしはプロファイル、例えば送信者プロファイル、受信者プロファイルもしくは利用者プロファイル、における自分たちの明細一覧表を常に簡単な方法で維持および更新することができる。インターネット経由での後からの補足によって、端末装置を用いての場合によっては困難でかつ退屈な入力が回避される。
【００４４】
上記の方法を用いることによって位置関連の情報データ、例えば特に音声−、ＳＭＳ−、ＭＭＳ−、画像−、ビデオ−、テキスト−、ＷＡＰ−もしくは類似のメッセージが転送されることができる。
【００４５】
位置関連の情報データの送信者の位置確認のための、ならびに情報伝達システムの利用者の位置確認のための装置、送信者および／または利用者のプロファイルおよび登録のための少なくとも１つの記憶装置ならびに、利用者が相応の位置に存在する際に受信者プロファイルと利用者プロファイルが一致する場合に利用者に位置関連の情報データを割り当てる演算装置を備えている装置ないしは情報伝達システム、特に中央処理装置は、上記方法の実施のために特に有利である。
【００４６】
中央処理装置とは好ましくは、例えば上記で既述したようなコンピュータ装置である。位置関連の情報データの送信者の位置確認のための、ならびに情報伝達システムの利用者の位置確認のための装置として、例えばＧＳＭ方式における位置確認装置を使用することができる。位置確認は人工衛星システム（例えばＧＰＳ）を用いて行うこともでき、これにより特に正確な位置測定が可能である。利用者の位置確認のための適当な方法は、上記において既に記載されている。プロファイル、位置関連の情報データならびにその他のデータを記憶するために、選択的に１つの記憶装置あるいはまた複数の記憶装置を使用することができる。特に中央処理装置の構成要素である少なくとも１つの演算装置は、全てのプロファイル、アクティブ化、登録ならびに位置関連の情報データを検査し、該データをプロファイルの一致の場合に自動的にその都度の利用者に割り当て、そして該データを該利用者に伝送する。
【００４７】
該装置が前記方法を実施するための手段を有する場合は、さらに有利である。殊に、理想的には移動電話、しかしまたラップトップ・コンピュータ、ノートブック・コンピューターまたは電子手帳（ｄｉｇｉｔａｌｅ  Ｏｒｇａｎｉｚｅｒ）も端末装置として使用することができる。
【００４８】
さらなる上記方法の詳細および利点は、以下の記載、付属の図面に示されており、この図面には該方法の有利なフローチャートが該方法に必要な端末装置とともに示されている。
【００４９】
これら４つの図には、該方法の可能な操作順序を示している。情報伝達システム１  −  例えば移動無線システム  −  は少なくとも２つの端末装置３，５および中央処理装置４を有し、その際、該端末装置３は、位置関連の情報データの送信者１１に割り当てられており、そして端末装置５は、利用者すなわち位置関連の情報データの受信者１２に割り当てられている。端末装置３，５は本例の場合には移動電話であり、中央処理装置４は少なくとも１つのコンピュータとして形成されている。
【００５０】
全ての図において円は、ある一定の位置２を示している。中央処理装置４は、送信者１１およびまた利用者１２の位置２を常時迅速に捕捉可能である手段を備える。さらに中央処理装置４は演算装置を備え、この演算装置は、位置関連の情報データを測定された位置データと、中央処理装置４で自動的に関連づけ、そして利用者１２が相応の位置２に存在する際に受信者プロファイルと利用者プロファイルが一致する場合に利用者１２にその位置関連の情報データを割り当てる。
【００５１】
図１では送信者１１は該送信者に割り当てられた端末装置３、特に移動電話を用いて、情報データを作成し、該情報データを中央処理装置４に送信する６。中央処理装置４は位置確認方法７を介して、該情報データが送信された端末装置３の位置２を自動的に測定し、送信された情報データをその確認された位置データと中央処理装置４で自動的に関連づける。端末装置３の位置は、例えばＧＳＭおよび／またはＧＰＳを基礎とする位置確認方法によって確認することができる。これらのデータは中央処理装置４に記憶され、かつ予想される利用者に提供される。送信者は該情報データに加えて自分の送信者プロファイルおよびまた受信者プロファイルを中央処理装置４に送信する６ことができる。当然のことながら、送信者プロファイルおよび／または受信者プロファイルが送信者によって１回だけ作成されて中央処理装置（４）に送信されることも可能である。この場合にはこれらプロファイルは好ましくは適当な記憶装置のうちの１つに保存される。送信者が中央処理装置（４）によって識別されている場合には、該中央処理装置は該情報データに自動的に相応の送信者プロファイルおよび／または受信者プロファイルを割り当てることができ、これにより送信者にとっての労費が著しく軽減される。
【００５２】
利用者１２が該利用者に割り当てられた端末装置５とともに前記位置２の周辺に進入すると、中央処理装置４はこのことを位置確認方法８を用いて自動的に直接確認し、これについては図２を参照のこと。位置確認方法７によってあらゆる利用者１２の端末装置５の位置が常時、自動的に（いわゆる「プッシュ方式」の場合には自主的に、いわゆる「プル方式」の場合には照会時に）確認される。
【００５３】
利用者１２が情報伝達システム１への参加を希望する場合には、該利用者は該利用者に割り当てられた端末装置５を中央処理装置４によってアクティブ化９する（図３参照）。このアクティブ化とともに利用者は自分の利用者プロファイルを中央処理装置４に送信９することもできる。その利用者プロファイルには、いかなる特定の位置関連の情報データを該利用者１２が中央処理装置４から受け取ることを希望するのかが設定されている。利用者プロファイルは好ましくは中央処理装置４に記憶されている。中央処理装置４の演算装置によって受信者プロファイルと利用者プロファイルの完全もしくは部分的な一致が確認された後に、図４参照、中央処理装置は該位置関連の情報データをその利用者１２に割り当てられた端末装置５に送信１０する。その位置関連の情報データおよび／またはメッセージは、該情報伝達システム１の１人以上の参加者１２に送信される。
【００５４】
該方法によって例えば、呼出し番号を知らない無線通信網の加入者とコミュニケーションをとることができる。
【００５５】
このことは例えば、一定の条件が満たされた場合に行われることができる。次に、条件のいくつかの排他的ではない例を記載するが、本発明はこれらの例に限定されるものではない：
ａ）  潜在的な受信者がこのようなメッセージの受信を了解している（すなわちこの参加者の個人的なプロファイルが把握されており（＝登録）、かつ該参加者がそのサービスをこの時点でアクティブ化している（＝アクティブ化））；
ｂ）  潜在的な受信者が、メッセージが送信者によって預けられたのと同じ場所に（移動無線システムの位置測定の精度に左右されかつ該サービスのパラメータとして調整可能である検索範囲に左右されるが、少なくともその近くに）存在している；
ｃ）  潜在的な受信者のプロファイルが、メッセージとともに保存されている受信者プロファイルとの一致のある一定のレベルを示す。一致の望ましいレベルは、該参加者が個人的なパラメータとして調整することができる（例えば５０％の一致）。
【００５６】
選択された条件が満たされれば、メッセージは適合した受信者に送信されることができる。これには種々のバージョンがある。次に、２つの排他的ではない例を挙げるが、本発明はこれらの例に限定されるものではない：
１）  潜在的な受信者がシステム、例えば移動無線システムに、適合するメッセージを照会する（「プル」）；
２）  システム、例えば移動無線システム、が適合するメッセージを自動的に送信する（「プッシュ」）。
【００５７】
この通信システムのいずれの参加者も、上記プッシュの変形形態の選択を指定することもできるし、および／または上記プルの変形形態の選択を指定することもできる。
【００５８】
ある特定のパラメータ、例えばサービスのアクティブ化／非アクティブ化、「プッシュ方式」または「プル方式」の選択、一致の所望のレベルの調整（０〜１００％）ならびに、メッセージが「適合する」と思われる検索範囲の調整（例えば半径１０〜１０００ｍ以内）など、は移動端末装置を用いていつでも変更されることが可能である。本発明は、ここに挙げた例に限定されるものではない。
【００５９】
メッセージの種類として例えば次のものがサポートされる：  音声（メールボックスに類似）、ＳＭＳ、ＷＡＰサイト（ＷＡＰ  Ｓｅｉｔｅｎ）、マルチメディアメッセージ（ＭＭＳ）、画像、ビデオクリップおよびファクシミリなど。当然のことながら、その他のメッセージの種類も可能である。システム、例えば移動無線システムが、メッセージのいかなる種類がそれぞれの端末装置に適合するかを独自に決定する。送信者は、できるだけ多くの種々の種類の受信機に届くように自分のメッセージの多くの種々のフォーマットを預けることができる。
【００６０】
送信者はさらに、メッセージが提供されうる期間を指定することができる（例えば１週間、毎日午前１０〜１１時）。
【００６１】
システム、例えば移動無線システムは、メッセージの過剰に溜まることを回避するために各メッセージにある一定の最大有効期間を与えることができる。
【００６２】
さらに、利用者が前もって受信者プロファイルの個人的なデータファイルリストを預けることが想定されていてもよい。新しいメッセージが送信される際に利用者はこのリストから適合する受信者プロファイルだけを選択する。このことによって該利用者は、サービス利用時の手間のかかるデータ入力を免れる。
【００６３】
好ましくはあらゆる参加者に対して、望ましくない送信者のデータファイルリストを申告することを可能にすべきである（制限リスト（Ｓｐｅｒｒｌｉｓｔｅ））。その場合にはシステム、例えば移動無線システムは、たとえその他の基準が満たされたとしてもこの参加者に制限リストに記入された送信者からのメッセージをもはや送信しない。
【００６４】
別の態様の場合には、該サービスにおける登録のために、かつ複雑なデータ、例えば個人的なプロファイル、制限リスト、の入力のために、あるいは受信者プロファイルのリストが預けられることなどのためにインターネット接続が想定されていてもよい。
【００６５】
このまったく新しい種類の移動通信は、システム、例えば移動無線システム、の利用を大幅に促進する。メッセージはその場で、具体的に特定の受信者を前もって選択することなく預けられることができる。メッセージの受信者にとってこれは大いに有益かつ愉快なこととなりうる。「プッシュ方式」による送信方法はきわめて快適であり、かつ利用待機性（Ｎｕｔｚｕｎｇｓｂｅｒｅｉｔｓｃｈａｆｔ）を高める。
【００６６】
排他的ではない適用例は、例えば次のとおりである：
１）  訪れたレストランの評価を残すこと；
２）  壁のスプレー絵（落書き（Ｇｒａｆｉｔｉ）、タグ付け（Ｔａｇｇｉｎｇ））に類似した自作の画像（写真／ビデオ）；
３）  例えば路上のオイル痕跡といった警告的注意；
４）  コミュニティー内の若者どうしの秘密のメッセージ；
５）  捜索ゲーム（Ｓｕｃｈｓｐｉｅｌ）の参加者への指示（「仮想のキツネ狩りごっこ」）；
６）  逸話や笑い話などのような楽しみ；
７）  名所への追加情報（仮想看板）；
８）  広告ポスターへの追加情報（例えばインターネットサイトへのリンクがその広告ポスターに直接「くっついて」いて、その前に立っている利用者はクリック１つだけで提供者のサイトを訪れることができる）；
９）  受信可能な場所に適合する純粋に仮想の広告。
【００６７】
この場合、本発明は当然のことながら、ここに挙げた例に限定されるものではない。
【００６８】
さらなる重要な利点は、端末装置に特に要求されるものがないということによって与えられている。移動無線システムにおいて該方法が使用される場合には、該システムには各々の通常の音声電話を用いて参加することが既に可能である。
【００６９】
さらに、システム事業者、例えば移動無線事業者がこの通信のためのメカニズムだけを提供することが可能であり、かつ該通信のための特別な応用を開発したり宣伝したりする必要がないことが有利である。利用者の創造性だけで、高い利用率を達成するのに十分である。
【００７０】
サービスとして形成されたこの方法を実施するシステムの実現には、システム、例えば移動無線システム、における一連の主要な構成要素が必要である。いくつかの構成要素を次に記載する。しかしながら、これら構成要素のうちのいくつかが任意のものであって、したがって、それらが該システムの基本的な実現のために必ずしも必要でないことは自明のことである：
・  送信されたメッセージのため（メール・ボックス・システムに類似、しかしながら、メッセージの可能な全てのフォーマットを、送信位置、受信者プロファイルおよび提供期間などといった必要なパラメータとともに記憶できるように拡張されている）の、かつ、この新しいサービスの加入者の登録のため（例えばデータバンク）の少なくとも１つの中央記憶装置。記憶されるデータには個人的なプロファイル、アクティブ／非アクティブの識別コード、検索プロファイルの定義済みのリスト、制限リスト、検索範囲／検索半径、プロファイルの一致レベルおよび「プッシュ」／「プル」識別コードなどが含まれる；
・  利用者、例えば移動無線加入者、の位置確認のための少なくとも１つの装置（多くの移動無線網に既に存在する）；
・  少なくとも１つの位置確認方法；
・  個人データの登録および維持のための少なくとも１つのインターネット接続サーバー；
・  該サービスを実施する、すなわち規則的に該サービスの参加者の位置を確認し、メッセージの記憶装置において適合するメッセージを検索し、そして一致の場合かつ送信条件が満たされている場合には該メッセージを送信する（「プッシュ方式」）、少なくとも１つのアプリケーション・コンピュータ（Ａｎｗｅｎｄｕｎｇｓｒｅｃｈｎｅｒ）。「プル方式」の場合には中央処理装置における該アプリケーション・コンピュータは、適合するメッセージを即時検索し、次にこれを送信することが参加者によって直接要求される。
【００７１】
先に挙げた特徴、詳細および態様の他に、本発明は次のように記載することができる：
本発明は、「タグ付け」とも呼ばれる表現形式から出発している。「タグ付け」では、情報が他人のために特定の場所に残される。タグ（ｔａｇ）は通常、独自かつ個性的である。
【００７２】
「タグ付け」は、例えば「スプレー落書きアーティスト界（Ｓｐｒａｙｅｒ−Ｓｚｅｎｅ）」で知られている。「タグ」はスプレー落書きアーティストの署名である。タグはグループ（コミュニティー）の別の仲間によって認識される。タグが意味するのは、「自分はここにいた」ということである。しかし、このようなタグは、既に著しく古い表現形式でもある。この種の古典的なタグは基本的なコミュニケーションの要求を満たしていたし、通常、ある文化もしくは集団の構成員にとってある特定の意味をもっていた。
【００７３】
タグ付けの概念は一連の構成要素から成り、それらのうちいくつかを次にまとめておく：
・  タグは、メッセージ（テキスト、画像、ビデオおよびオーディオなど）である；
・  タグは、ある特定の場所に割り当てられ（「タグ付けされ」）ている；
・  タグは、個人によって作成される；
・  タグは、匿名のメッセージであることができる；
・  タグは、人々のある特定のグループおよび／またはコミュニティーへ向けられることができる；
・  タグの内容は、タグが出現した場所に存在する人々によって読まれる；
・  タグ付けは、非同期通信のための方法である；
・  タグ付けは、例えば情報、楽しみ、遊び、芸術、個人的な表現形式および特別な機能などの種々の目的をもつことができる。
【００７４】
本発明による方法によって、タグ付けの表現形式が今度は情報伝達システムでも使用することができる。
【００７５】
このために先ず情報が作成される。送信者は先ず情報、例えばテキスト−、音声−／オーディオ−、画像−およびビデオの情報など、を作成し、かつ任意に受信者プロファイル（例えば男性／女性、年齢およびコミュニティー等）を選択する。該情報は中央処理装置に送信される。該情報は、好ましくは集中的に、しかも送信者の位置ならびに任意に送信者および可能な受信者のプロファイル情報とともに記憶される。
【００７６】
システムの利用者は、保存された位置関連の情報データを例えば中央処理装置から呼び出すことができる（「プル方式」）。その次に情報は、位置および場合によってはプロファイルが適合する場合に送信される。
【００７７】
保存された情報は、一致が確認された受信者に自動的に送信されることもできる（「プッシュ方式」）。
【００７８】
次に、本発明による方法で作成されることができかつ相応の方法で提供されうる可能な情報の排他的ではない例を記載する：
「このレストランはおいしいピザを出す」。このような情報は、例えばシステムの各利用者に向けられることができる。「マルレーネ、愛してる」。このような情報には例えば、前述のマルレーネに最もよく適合する受信者プロファイルが選択される。該情報が位置に関連して提供される場所として例えば、マルレーネが頻繁によく訪れる場所を選択することができる。「Ｄｙｓｌｅｘｉｃｓ（Ｄｙｓｌｅｘｉｅｓ）  ｏｆ  ｔｈｅ  ｗｏｒｌｄ！  Ｕｎｔｉｅ！（世界の読字障害者よ、散開せよ！）」。このような情報は典型的なジョークの情報である。「白い建物の緑のドアの方を見ろ。そして入れ」。このような情報は、アドベンチャーゲーム、ロールプレイングゲームおよび捜索ゲーム等の要素として作成されることができる。さらに情報は、小さな芸術絵画、ビデオ・クリップおよびオーディオ・クリップ等として作成されてもよい。該情報は興味を持ったグループに向けることができ、例えばＭＭＳとして提供することができる。その場合、この最後に挙げた情報は、ある種の仮想の落書きである。
【００７９】
このような方法の実施のための条件は次の通り記載することができる。先ず位置が測定されなければならない。該位置がより正確に確認されることができればできるほど、より多くの使用事例が可能となる。次に情報が記憶されなければならない。このために特に、全ての可能な種類の情報のための大きな中央記憶装置が備えられていてもよい。該記憶装置は例えば、「ユニファイドメッセージングシステム」の構成要素であることができる。好ましくは完全な利用者管理、例えば個人的なプロファイルの編集、サービスのアクティブ化／非アクティブ化、「プッシュ」／「プル」の選択、「ブラックリスト」の作成およびいわゆる「スパムフィルタ（Ｓｐａｍｍｉｎｇ  Ｆｉｌｔｅｒ）」のアクティブ化など、が該サービスを介して可能であるべきである。さらに利用者自身によるコミュニティーの創立が容易に可能であるべきである（コミュニティーの名称の選択およびＭＳ−ＩＳＤＮのリストが含まれる）。
【００８０】
本発明による方法は、ごく基本的なコミュニケーションの要求を満足させる。利用者が例えば自分自身で、いかなる利用方法が自分自身にとって有意義であるかを定義する。さらに利用者の創造性が刺激される。
【００８１】
このような方法のためのプラットホームは、例えば移動無線事業者によって導入かつ運営されることが可能である。利用者は自分自身のコンテンツを作成する。これ以上、必要なものはない。同じ適用分野がＳＭＳおよびＭＭＳのためにも考えられる。
【００８２】
本方法のさらに別の排他的ではない特徴が、いずれの情報にもある一定の寿命があり、そしてその時間経過後に消去されることであることができる。したがって新しくかつ時宜にかなった情報のみが位置に関連して提供される。各利用者は受信者プロファイルを、例えば「ウェブ・フロント・エンド」を使用して、設定することができる。後から、この設定したプロファイルを選択することができ、これにより利用者の端末装置、例えば移動電話、における操作上のストレスが著しく軽減される。利用者は、自分が情報の「プッシュ」送信の方を取るのか、および／または「プル」送信の方を取るのかを選択することができる。利用者は位置の半径を指定することもできる。半径が大きい場合には、多くの情報がその場所選択条件に適合する。利用者は、プロファイルの一致についての必要なレベル（１〜１００％）自体を調整することができる。このように利用者は、自分が数多くの情報の受取りを希望するのか、それとも少ない選択された情報のみの受取りを希望するのかを管理することができる。
【００８３】
本方法を実施するためのシステムは好ましくは、該システムが情報を、受信機として選択された端末装置に適当であるフォーマットに自動的に変換するように設計されている（ＵＭ機能）。
【図面の簡単な説明】
【００８４】
【図１】中央処理装置への送信者による、位置関連の情報データの送信ならびに中央処理装置による送信者の位置の位置確認を示す説明図である。
【図２】中央処理装置による利用者の位置の位置確認を示す説明図である。
【図３】利用者の端末装置のアクティブ化ならびに中央処理装置への利用者プロファイルの送信を示す説明図である。
【図４】中央処理装置による利用者への、位置関連の情報データの送信を示す説明図である。
【符号の説明】
【００８５】
１  情報伝達システム
２  位置
３  端末装置
４  中央処理装置
５  端末装置
６  送信する
７  位置確認方法
８  位置確認方法
９  送信
１０  送信
１１  送信者
１２  利用者
【図１】
2005520418.tif 000003
【図２】
2005520418.tif 000004
【図３】
2005520418.tif 000005
【図４】
2005520418.tif 000006
【国際調査報告】
2005520418.tif 000007
2005520418.tif 000008
2005520418.tif 000009
2005520418.tif 000010
2005520418.tif 000011
2005520418.tif 000012